(57)【要約】      （修正有）【課題】仕組みが簡単で合理的で、使いやすく、固着されるフライパンカバー用回転式取っ手および回転式取っ手付きフライパンカバーを提供する。【解決手段】回転式取っ手付きフライパンカバー１は、フライパンカバーと取っ手本体２とフライパンカバーに固定する台座３により構成する。さらに、取っ手本体には狭あい部２１を有した嵌合孔が後端部に形成され、台座は上面が傾斜しており、かつ、その傾斜面３４には係止爪を有する弾力性のある直立体３１が複数形成され、前記狭あい部と前記係止爪が係合することにより取っ手本体が回転自在に前記台座と嵌合する。【選択図】図１
0003164430.tif 000002
【実用新案登録請求の範囲】
【請求項１】
調理器蓋用回転式取っ手であって、取っ手本体と調理器蓋に接続可能な台座からなり、
取っ手本体には狭あい部を有した嵌合孔が後端部に形成され、
台座は上面が傾斜しており、かつ、その傾斜面には係止爪を有する弾力性のある直立体が複数形成され、
前記狭あい部と前記係止爪が係合することにより取っ手本体が回転自在に前記調理器蓋に接続可能な台座と嵌合することを特徴とする調理器蓋用回転式取っ手。
【請求項２】
回転式取っ手付きフライパンカバーであって、フライパンカバーと取っ手本体とフライパンカバーに固定する台座からなり、
取っ手本体には狭あい部を有した嵌合孔が後端部に形成され、
台座は上面が傾斜しており、かつ、その傾斜面には係止爪を有する弾力性のある直立体が複数形成され、
前記狭あい部と前記係止爪が係合することにより取っ手本体が回転自在に前記調理器蓋に接続可能な台座と嵌合することを特徴とする回転式取っ手付きフライパンカバー。
【請求項３】
前記台座の斜面に中央軸に沿って複数のバネ孔が形成されると共に、取っ手本体下部におけるそのバネ孔と対応する位置には凹状の玉受け部が設けられ、前記バネ孔に金属玉を載置したバネを挿入して前記玉受け部を前記金属玉に当接することにより、前記取っ手本体と前記台座を回転自在に接続することを特徴とする請求項２に記載の回転式取っ手付きフライパンカバー
【請求項４】
前記バネ孔が２つあり、かつ、台座の左右部に対称に配置することを特徴とする請求項３に記載の回転式取っ手付きフライパンカバー。
【請求項５】
前記台座に、中空の円柱を形成する態様で円弧状の前記係止爪を有する弾力性のある直立体を３本配置することを特徴とする請求項２ないし４に記載の回転式取っ手付きフライパンカバー。
【請求項６】
前記取っ手本体後端の嵌合孔上部にキャップを取り付けることを特徴とする請求項２ないし請求項５のいずれかに記載の回転式取っ手付きフライパンカバー。
【請求項７】
前記取っ手本体の嵌合孔側面上部にキャップ受けを２つ形成し、前記キャップの下部にキャップ突起を２つ設け、前記キャップ突起が前記キャップ受けに嵌合することによりキャップを取っ手本体に取り付けることを特徴とする請求項６に記載の回転式取っ手付きフライパンカバー。
【請求項８】
前記台座に台座固定ネジ孔を形成し、かつ前記フライパンカバーにも通り穴を形成し、台座固定ネジが前記台座固定ネジ孔と前記通り穴を貫通することによって前記台座を前記フライパンカバーに固定することを特徴とする請求項２ないし請求項７のいずれかに記載の回転式取っ手付きフライパンカバー。
【請求項９】
前記取っ手本体の形状が、平面形状は先端に向かって幅広となり、側面形状は先端に向かって下向きの円弧状を呈し、かつ、前記取っ手本体に上下面貫通孔が形成されていることを特徴とする請求項２ないし請求項８のいずれかに記載の回転式取っ手付きフライパンカバー。
【考案の詳細な説明】
【技術分野】
【０００１】
本考案はフライパンカバー用の取っ手に関し、特に回転できる取っ手に関する。
【背景技術】
【０００２】
日常生活に使用される調理器具、例えば、炒め鍋、蒸し鍋など、通常本体と本体についている取手からなっている。通常、取っ手は本体に固定され、回転できない。また、取っ手が長いし、スペースを取り、方向を調整することができないし、使用や収納が不便である。その上、料理しているうちに、温度が高くなるにつれて、取り外す時火傷しやすい。そのため、回転可能に設置できる取っ手つきのフライパンカバーが開発された。例えば、実用新案特許２００６１００５１８４６．３にて、３６０度回転可能に設置できる取っ手つきのフライパンカバーが公開されている。フライパンカバー本体、取っ手をカバー本体に繋げるための取っ手の台座、取っ手からなり、その特徴は、台座貫通穴付きの空洞があけてあり、取っ手の下の部分を貫通穴の中に挿入することにより、貫通穴の中に回転可能に設置できる。また、貫通穴の中に複数のバネワッシャーを設置し、バネワッシャーが取っ手の下部の側面に当たり支えて、取っ手がスムーズに３６０度回転可能に設置される。しかし、その取っ手は、構造が複雑で、設置されるときぐらつきがあり、使用上にまだ不便があり、仕組み上の改善が必要である。
【先行技術文献】
【特許文献】
【０００３】
【特許文献１】特開２００４−２９０３４９号公報
【０００４】
【特許文献２】実登録３１６１８８６号公報
【考案の概要】
【考案が解決しようとする課題】
【０００５】
本考案は上述の従来技術に対して、仕組みが簡単で合理的で、使いやすく、フライパンカバーに回転可能に固定できる回転式取っ手を提供することを目的とする。
【課題を解決するための手段】
【０００６】
上述した技術課題を解決するために、本発明に係る技術手段は以下の特徴を有する。
【０００７】
調理器蓋用回転式取っ手であって、取っ手本体と調理器蓋に接続可能な台座からなり、取っ手本体には狭あい部を有した嵌合孔が後端部に形成され、台座は上面が傾斜しており、かつ、その傾斜面には係止爪を有する弾力性のある直立体が複数形成されている。前記狭あい部と前記係止爪が係合することにより取っ手本体は回転自在に前記調理器蓋に接続可能な台座と嵌合することができる。
【０００８】
また、回転式取っ手付きフライパンカバーであって、フライパンカバーと取っ手本体とフライパンカバーに固定する台座からなり、
取っ手本体には狭あい部を有した嵌合孔が後端部に形成され、
台座は上面が傾斜しており、かつ、その傾斜面には係止爪を有する弾力性のある直立体が複数形成されている。前記狭あい部と前記係止爪が係合することにより取っ手本体は回転自在にフライパンカバーに固定した台座と嵌合することができる。
【０００９】
また、前記台座の斜面に中央軸に沿って複数のバネ孔が形成されると共に、取っ手本体下部におけるそのバネ孔と対応する位置には凹状の玉受け部が設けられている。前記バネ孔に金属玉を載置したバネを挿入して前記玉受け部を前記金属玉に当接することにより、前記取っ手本体はフライパンカバーに固定した台座と接続することができ、自在に、かつ、円滑に回転することができる。
【００１０】
また、前記バネ孔が２つあり、台座の左右部に対称に配置されている。
【００１１】
また、前記台座に、中空の円柱を形成する態様で円弧状の前記弾力性のある係止爪を有する直立体が３本配置されていて、直立体の形状は取っ手本体の嵌合部の形状にフィットする。
【００１２】
また、前記取っ手本体後端の嵌合孔上部にキャップが取り付けられている。
【００１３】
また、前記取っ手本体の嵌合孔側面上部にキャップ受けを２つ形成し、前記キャップの下部にキャップ突起を２つ設けており、前記キャップ突起が前記キャップ受けに嵌合することによりキャップを取っ手本体に取り付けることができる。
【００１４】
また、前記台座に台座固定ネジ孔を形成し、かつ前記フライパンカバーにも通り穴を形成し、台座固定ネジが前記台座固定ネジ孔と前記通り穴を貫通することによって前記台座を前記フライパンカバーに固定することができる。
【００１５】
また、前記取っ手本体の形状が、平面形状は先端に向かって幅広となり、側面形状は先端に向かって下向きの円弧状を呈している。さらに、取っ手本体には上下面貫通孔が形成されている。
【考案の効果】
【００１６】
従来技術と比べて、本考案のメリットは下記の通りである。
１．仕組みが簡易で、取っ手が自由に、かつ円滑に回転でき、取り付け状態も安定している。
２．取っ手が軽量化されていて、使用しやすい。なお、デザインも斬新で、美麗である。
３．フライパンカバーをフライパンから取り外すとき、必要によって取っ手を回し、取っ手の支えによりフライパンカバーを立てたり、横置きにしたりすることができ、とても便利である。
４．取っ手が台座に嵌合して接続されることにより、着脱容易にフライパンカバーに付けられる。このため、着脱が便利になり、従来の取っ手が固定されてはずしにくいという課題が解決される。また、スペースを取らなくて、収納と運送が便利である。
【図面の簡単な説明】
【００１７】
【図１】は本考案に係る全体断面図であり、各構成部材を分離        して示している。
【図２】は本考案に係る全体断面斜視図である。
【図３】は本考案に係る台座の斜視図である。
【図４】は本考案に係る取っ手本体の下方からの斜視図である。
【図５】は本考案に係る取っ手本体の上方からの斜視図である。
【図６】は本考案に係る全体平面図である。
【図７】は本考案に係る全体斜視図であり、取っ手本体は略水平に保持されている。
【図８】は本考案に係る全体斜視図であり、取っ手本体は先端が上向きに保持されてい        る。
【図９】は本考案に係る台座とネジと金属玉の斜視図である。
【図１０】は本考案に係るフライパンカバーと台座の断面図である。
【図１１】は本考案に係るフライパンカバーと台座と取っ手本体の断面図である。
【図１２】は本考案に係るフライパンカバーと台座と取っ手本体の全体平面図である。
【考案を実施するための形態】
【００１８】
以下、本考案の実施例について、図面を参照しながら詳細に説明していく。
【実施例１】
【００１９】
図１ないし５に示したように、本考案に係るフライパンカバー用の回転できる取っ手の仕組みにおいて、フライパンカバー１と取っ手本体２と台座３からなり、フライパンカバー１はアルミ材で、その中心部に透明なガラスが嵌められ、料理の具合が観察できる。フライパンカバー１の表面両端に円弧形の溝が形成され、フライパンカバー１の中心部に通り穴が左右二つ開設してあり、台座固定ネジ６がその通り穴と台座３の台座固定ネジ孔３３を通ることによって台座３をフライパンカバー１に固定する。台座３はプラスチック成型品で、その上面が斜面３４で、斜面３４がフライパンカバー１の面となす角度は１５−２５度である。その斜面３４に弾力のある係止爪付直立体３１が三本成型してある。係止爪付直立体３１は円弧形をし、取っ手本体の丸い嵌合孔の狭あい部２１と嵌合取り付けできるように配置され、中空の円柱を成り立てるような態様になっている。係止爪付直立体３１の外側に係止爪があり、取っ手２の後端部に嵌合用の嵌合孔の狭あい部２１が成型してあり、係止爪３１と狭あい部２１の嵌合を通して、取っ手２が回転できるように台座３に付けられる。
取っ手本体２はプラスチック製で、手の握る部分が円弧形をして、美麗で握りやすい。取っ手本体２は先端まで幅が広がっていき、真中に長方形状の孔が開けてある。台座３の斜面には軸に沿ってバネ穴３２が左右一つずつ設けられ、バネ４をその中に挿入して、バネ４の上に金属玉７を乗せる。対応して、位置決めができるように取っ手２の台座３と合わせる面にも凹状の玉受け部２３が２つ設けられ、各々の金属玉７と当接する。前記取っ手本体２の後端嵌合孔の側面上部にキャップ受け２２が二つ開設してあり、対応してキャップ５の下部にキャップ突起部５１を２つ設け、キャップ受け２２とキャップ突起部５１との嵌合によりキャップ５は取っ手本体２につけられ、より美観的な効果がある。前記フライパンカバー１の表面には円弧形の溝が２つ付けられる。
【００２０】
図１，２および図９ないし１２に示したとおり、まず、バネ４と金属玉７を台座３のバネ穴３２に入れ、ネジ６で台座３をフライパンカバー１に固定し、取っ手本体２の後端下面にある金属玉の玉受け部２３を台座３のバネ穴と合わせて、狭あい部２１と係止爪付直立体３１の係止爪との係止により取っ手２を台座３に嵌合・固定する。それから、キャップ５を取っ手本体２のキャップ受け２２に嵌めつけ、取っ手本体２が台座３を円心として回転自在にフライパンカバーに付けられる。操作する時、取っ手本体２の先端部分を握り、簡単に回転でき、しっかり位置決めできる。図６ないし８に示したとおり、使用するとき、必要に応じて取っ手本体２は立たせることと収納ができるように自由に回転できるので、フライパンカバー１は立てられるし、横置きすることができ、非常に便利である。
【産業上の利用可能性】
【００２１】
本考案の実施例はフライパンカバーに応用できるほかに、フライパン以外の他の本体や取っ手付きの調理器具にも適用可能であり、産業上の利用可能性は高いする。本実施例はフライパンカバー用の回転できる取っ手の最良の実施案であるが、それは本考案に対する保護範囲の制限と理解するべきではなく、回旋を実現するほかの類似的な技術手段も全て本考案の保護範囲内である。
【符号の説明】
【００２２】
１……フライパンカバー
２……取っ手本体
３……台座
４……バネ
５……キャップ  
６……台座固定ネジ
７……金属玉
２１……狭あい部
２２……キャップ受け
２３……玉受け部
３１……係止爪付直立体
３２……バネ孔
３３……台座固定ネジ孔
３４……斜面
５１……キャップ突起部
【図１】
0003164430.tif 000003
【図２】
0003164430.tif 000004
【図３】
0003164430.tif 000005
【図４】
0003164430.tif 000006
【図５】
0003164430.tif 000007
【図６】
0003164430.tif 000008
【図７】
0003164430.tif 000009
【図８】
0003164430.tif 000010
【図９】
0003164430.tif 000011
【図１０】
0003164430.tif 000012
【図１１】
0003164430.tif 000013
【図１２】
0003164430.tif 000014